(57)【要約】【課題】回転ドラム内で洗濯、すすぎ、脱水、乾燥などの各行程を逐次行うドラム式洗濯乾燥機において、熱交換器を構成することなく、水槽内の広い空間内で除湿を行うようにして除湿性能を向上するとともに、風圧による冷却水の巻き上げやリントなどの堆積による詰まりをなくする。【解決手段】略水平方向または略傾斜方向に回転軸を有する回転ドラム６を水槽４に内包し、水槽４内に洗濯用給水弁９または乾燥用給水弁１０により給水するとともに、水槽４内の水を排水ポンプ１２により排水し、水槽４内にヒータ１６と連通した送風機１５により送風し、除湿手段により水槽４内の洗濯物から蒸発した水分を冷却水によって除湿する。除湿手段は、水槽４と回転ドラム６の間の空気を冷却水によって冷却して除湿するよう構成する。【選択図】　図１
2004097388.tif 000002
【特許請求の範囲】
【請求項１】
略水平方向または略傾斜方向に回転軸を有する回転ドラムと、前記回転ドラムを内包する水槽と、前記水槽内に給水する給水手段と、前記水槽内の水を排水する排水手段と、前記水槽内に送風する送風手段と、前記送風手段と連通した加熱手段と、前記水槽内の洗濯物から蒸発した水分を冷却水によって除湿する除湿手段とを備え、前記除湿手段は、前記水槽と前記回転ドラムの間の空気を冷却水によって冷却して除湿するよう構成したドラム式洗濯乾燥機。
【請求項２】
除湿手段は、水槽の内壁に沿って冷却水を流して除湿するよう構成した請求項１記載のドラム式洗濯乾燥機。
【請求項３】
冷却水を流す冷却水通水路を水槽と一体に成型して設けた請求項１または２記載のドラム式洗濯乾燥機。
【請求項４】
冷却水を流す冷却水通水路を水槽に着脱可能に設けた請求項１または２記載のドラム式洗濯乾燥機。
【請求項５】
冷却水を流す冷却水通水路を水槽に複数個設け、それぞれ独立した通水路とした請求項１または２記載のドラム式洗濯乾燥機。
【請求項６】
冷却水を流す冷却水通水路を水槽に複数個設け、それぞれヘッドを同じとした請求項１または２記載のドラム式洗濯乾燥機。
【請求項７】
水槽の内壁面のドラム回転軸より下半分に冷却水を流し、水冷除湿を行うようにした請求項１または２記載のドラム式洗濯乾燥機。
【請求項８】
冷却水を流す水槽の内壁面に複数個の凹凸を設けた請求項１または２記載のドラム式洗濯乾燥機。
【請求項９】
冷却水を水槽の外壁面から内壁面に連続して沿わせて流し、水冷除湿を行うようにした請求項１または２記載のドラム式洗濯乾燥機。
【請求項１０】
冷却水を流す冷却水通水路を水槽に複数個設け、衣類の乾燥状態に応じて通水経路を切り換える構成とした請求項１または２記載のドラム式洗濯乾燥機。
【発明の詳細な説明】
【０００１】
【発明の属する技術分野】
本発明は、回転ドラム内で洗濯、すすぎ、脱水、乾燥などの各行程を逐次行うドラム式洗濯乾燥機に関するものである。
【０００２】
【従来の技術】
従来、この種のドラム式洗濯乾燥機は図１１に示すような構成であった。以下、その構成について説明する。
【０００３】
図１１に示すように、筐体１は、内部に複数のサスペンション２とダンパー３で水槽４を支持しており、水槽４の開口部をドア５により開閉するようにしている。水槽４内に、略傾斜方向に回転軸を有する回転ドラム６を回転自在に配設し、この回転ドラム６に多数の通水孔７とバッフル８を設けている。
【０００４】
筐体１に洗濯用給水弁（給水手段）９と乾燥用給水弁１０とを設け、水槽４に設けた排水口１１と排水ポンプ（排水手段）１２とを排水経路１３により連通している。送風機１５は水槽４内に吹き出し口１４を介して送風するもので、この送風機１５にヒータ１６を連通し、水槽４内と送風機１５と連通した熱交換器１７とによって、一連の乾燥循環経路を構成している。給水ホース１８は乾燥用給水弁１０から熱交換器１７内に通水するものである。
【０００５】
上記構成において洗濯、乾燥行程の動作を説明する。回転ドラム６内に洗濯物を投入して洗濯行程を開始すると、洗濯用給水弁９が開き水槽４内に所定の水位まで給水する。つぎに、回転ドラム６を約５０ｒ／ｍｉｎの回転数で駆動し、投入された衣類はバッフル８によって持ち上げられては落下を繰り返し、洗剤水と水面に落下したときの衝撃力によって洗浄される。
【０００６】
洗濯行程が終わると排水ポンプ１２を駆動し、洗濯水を排水経路１３を通じて排水する。排水が終わると回転ドラム６を約１０００ｒ／ｍｉｎの回転数で高速回転し脱水を行う。さらに脱水行程が終了すると乾燥行程へ移行する。
【０００７】
乾燥行程では洗濯行程と同様に、回転ドラム６を駆動し、回転ドラム６内の洗濯物を撹拌しながら送風機１５とヒータ１６によって加熱された熱風を回転ドラム６内の衣類に吹き出し口１４から吹き付け、衣類内に含まれた水分を加熱し蒸発させる。
【０００８】
さらに、蒸気を含む高温の空気は熱交換器１７内に送られ、乾燥用給水弁１０から熱交換器１７内に供給された冷却水と混合し、熱交換を行い冷却除湿される。さらに、また除湿された空気はヒータ１６によって再び加熱され、回転ドラム６内に送られ衣類の乾燥を行う。これによって一連の乾燥サイクルを形成する。
【０００９】
【発明が解決しようとする課題】
このような従来の構成において、寸法面で制約を受ける筐体１内で一連の乾燥循環経路を構成しようとするとき、筐体１と水槽４の隙間を確保しなければならず、十分な断面積の熱交換器１７を構成することができず、乾燥性能に対して不利になっていた。
【００１０】
さらに、この種の熱交換器１７は冷却水を循環風の風圧で、熱交換器１７内でバランスよく飛散させ、熱交換を行う方式であるため、乾燥性能の向上を意図し、循環風量を安易に多くすると、断面形状の狭い熱交換器１７内の風圧が上がりすぎ、飛散する冷却水とのバランスが崩れ、冷却水が巻き上げられてヒータ１６まで達し、乾燥性能を著しく落とすという問題があった。
【００１１】
さらに、毛足の長い衣類やペットの毛等が付着した衣類を乾燥すると、熱交換器１７の内部に堆積して、故障の原因となっていた。
【００１２】
本発明は上記従来の課題を解決するもので、熱交換器を構成することなく、水槽内の広い空間内で除湿を行うようにして除湿性能を向上するとともに、風圧による冷却水の巻き上げやリントなどの堆積による詰まりをなくすることを目的としている。
【００１３】
【課題を解決するための手段】
本発明は上記目的を達成するために、略水平方向または略傾斜方向に回転軸を有する回転ドラムを水槽に内包し、水槽内に給水手段により給水するとともに、水槽内の水を排水手段により排水し、水槽内に加熱手段と連通した送風手段により送風し、除湿手段により水槽内の洗濯物から蒸発した水分を冷却水によって除湿するよう構成し、除湿手段は、水槽と回転ドラムの間の空気を冷却水によって冷却して除湿するよう構成したものである。
【００１４】
これにより、熱交換器を構成することなく、水槽内の広い空間内で除湿を行うことができ、除湿性能を向上することができるとともに、風圧による冷却水の巻き上げやリントなどの堆積による詰まりをなくすることができる。
【００１５】
【発明の実施の形態】
本発明の請求項１に記載の発明は、略水平方向または略傾斜方向に回転軸を有する回転ドラムと、前記回転ドラムを内包する水槽と、前記水槽内に給水する給水手段と、前記水槽内の水を排水する排水手段と、前記水槽内に送風する送風手段と、前記送風手段と連通した加熱手段と、前記水槽内の洗濯物から蒸発した水分を冷却水によって除湿する除湿手段とを備え、前記除湿手段は、前記水槽と前記回転ドラムの間の空気を冷却水によって冷却して除湿するよう構成したものであり、個別に熱交換器を構成する必要がなくなり、水槽内の広い空間内で除湿を行うことができ、除湿性能を向上することができるとともに、風圧による冷却水の巻き上げやリントなどの堆積による詰まりをなくすることができる。
【００１６】
請求項２に記載の発明は、上記請求項１に記載の発明において、除湿手段は、水槽の内壁に沿って冷却水を流して除湿するよう構成したものであり、広い熱交換面を構成することができ、風圧による冷却水の巻き上げやリントなどの堆積による詰まりをなくすることができる。
【００１７】
請求項３に記載の発明は、上記請求項１または２に記載の発明において、冷却水を流す冷却水通水路を水槽と一体に成型して設けたものであり、簡単な構成で水槽の内壁面に冷却水を効果的に分散させることができ、除湿性能を向上することができる。
【００１８】
請求項４に記載の発明は、上記請求項１または２に記載の発明において、冷却水を流す冷却水通水路を水槽に着脱可能に設けたものであり、冷却水通水路に異物が詰まった場合、補修作業を容易にすることができる。
【００１９】
請求項５に記載の発明は、上記請求項１または２に記載の発明において、冷却水を流す冷却水通水路を水槽に複数個設け、それぞれ独立した通水路としたものであり、冷却水通水路を切り換えることによって、節水しながら効果的に水槽の内壁を冷却することができ、除湿性能を向上することができる。
【００２０】
請求項６に記載の発明は、上記請求項１または２に記載の発明において、冷却水を流す冷却水通水路を水槽に複数個設け、それぞれヘッドを同じとしたものであり、複数の冷却水通水路にそれぞれ均等の水量の冷却水を流すことができる。
【００２１】
請求項７に記載の発明は、上記請求項１または２に記載の発明において、水槽の内壁面のドラム回転軸より下半分に冷却水を流し、水冷除湿を行うようにしたものであり、簡単な構造で熱交換器を構成できる。
【００２２】
請求項８に記載の発明は、上記請求項１または２に記載の発明において、冷却水を流す水槽の内壁面に複数個の凹凸を設けたものであり、熱交換面積を広くすることができ、除湿性能を向上することができる。
【００２３】
請求項９に記載の発明は、上記請求項１または２に記載の発明において、冷却水を水槽の外壁面から内壁面に連続して沿わせて流し、水冷除湿を行うようにしたものであり、熱交換面積を広くとることができ、水冷除湿能力を上げることができる。
【００２４】
請求項１０に記載の発明は、上記請求項１または２に記載の発明において、冷却水を流す冷却水通水路を水槽に複数個設け、衣類の乾燥状態に応じて通水経路を切り換える構成としたものであり、節水しながら水槽内の湿度に応じた効果的な除湿を行うことができる。
【００２５】
【実施例】
以下、本発明の実施例について、図面を参照しながら説明する。なお、従来例と同じ構成のものは同一符号を付して説明を省略する。
【００２６】
（実施例１）
図１に示すように、回転ドラム６は、略傾斜方向に回転軸を有し、水槽４内に回転自在に配設している。給水ホース１９は、乾燥用給水弁（給水手段）１０と水槽４内とを連通し、この給水ホース１９の先端にノズル２０を取り付け、ノズル２０を水槽４と回転ドラム６によって構成された空間に開口し、水槽４と回転ドラム６の間に冷却水を噴出し、水槽４内の洗濯物から蒸発した水分を冷却水によって除湿するよう構成している。
【００２７】
上記構成において動作を説明する。乾燥行程では、洗濯行程と同様に、回転ドラム６を駆動し、回転ドラム６内の洗濯物を撹拌しながら、送風機（送風手段）１５とヒータ（加熱手段）１６によって加熱された熱風を回転ドラム６内の衣類に吹き出し口１４から吹き付け、衣類内に含まれた水分を加熱し蒸発させる。蒸気を含む高温の空気は回転ドラム６に設けた多数の通水孔７を通って水槽４内に入る。
【００２８】
水槽４内に入った蒸気を含む高温の空気は、乾燥用給水弁１０から給水ホース１９を介して、水槽４と回転ドラム６によって構成された空間にノズル２０より噴射された冷却水と混合され、熱交換を行い冷却除湿される。この除湿された空気はヒータ１６によって再度加熱され、回転ドラム６内に送られ衣類の乾燥を行う。これによって一連の乾燥サイクルを形成する。
【００２９】
このように本実施例によれば、個別に水槽４の外部に熱交換器を備えることなく、水槽４と回転ドラム６の間の広い空間内で除湿を行うことができ、除湿性能を向上することができるとともに、風圧による冷却水の巻き上げやリントなどの堆積による詰まりをなくすることができる。
【００３０】
なお、本実施例では、略傾斜方向に回転軸を有する回転ドラム６を水槽４内に回転自在に配設しているが、略水平方向に回転軸を有する回転ドラムを水槽４内に回転自在に配設してもよく、同様の作用効果を得ることができる。
【００３１】
（実施例２）
図２に示すように、冷却ノズル２１は水槽４の壁面に取り付け、水槽４内に開口した複数個の通水孔２２を有し、冷却ノズル２１と乾燥用給水弁１０とを給水ホース２３により連通し、冷却ノズル２１の通水孔２２より水槽４の内壁に沿って冷却水を流して除湿するよう構成している。他の構成は上記実施例１と同じである。
【００３２】
上記構成において動作を説明する。乾燥行程で、乾燥用給水弁１０から給水ホース２３を介して、冷却ノズル２１に通水され、複数個の通水孔２２から出た冷却水は水槽４の内壁面を冷やしながら流れ落ちる。これによって水槽４内の蒸気を含む高温の空気は、冷やされた水槽４の内壁面と接触し熱交換を行いながら冷却除湿される。除湿された空気はヒータ１６によって再び加熱され、回転ドラム６内に送られ衣類の乾を行なうといった、一連の乾燥サイクルを形成する。
【００３３】
このように本実施例によれば、個別に水槽４の外部に熱交換器１７を備えることなく、水槽４の内壁の広い面で除湿を行うことができ、風圧による冷却水の巻き上げやリントなどの堆積による詰まりをなくすることができる。
【００３４】
（実施例３）
図３に示すように、冷却ノズル（冷却水通水路）２４は、冷却水を流すもので、水槽４と一体に壁面に成型し、給水ホース２３により乾燥用給水弁１０と連通し、水槽４内に開口した複数個の通水孔２２を設けている。他の構成は上記実施例１または２と同じである。
【００３５】
上記構成において動作を説明する。乾燥行程で、乾燥用給水弁１０から給水ホース２３を介して、冷却ノズル２４に通水され、複数個の通水孔２２から出た冷却水は水槽４の内壁面を冷やしながら流れ落ちる。これによって水槽４内の蒸気を含む高温の空気は、冷やされた水槽４の内壁面と接触し熱交換を行いながら冷却除湿される。除湿された空気はヒータ１６によって再び加熱され、回転ドラム６内に送られ衣類の乾を行なうといった、一連の乾燥サイクルを形成する。
【００３６】
このように本実施例によれば、水槽４と冷却ノズル２４を一体で成型することによって、簡単な構成で水槽４の内壁面に冷却水を効果的に分散させることができ、除湿性能を向上することができ、また、個別にノズルや取り付るための部品を必要とせず、コストを削減することができる。
【００３７】
（実施例４）
図４に示すように、冷却ノズル（冷却水通水路）２５は、冷却水を流すもので、水槽４の壁面に設けた取付穴２６にパッキン２７を介して挿入して着脱可能とし、この冷却ノズル２５と乾燥用給水弁１０とを給水ホース２３により連通している。他の構成は上記実施例１〜３と同じである。
【００３８】
上記構成において動作を説明する。乾燥行程で、乾燥用給水弁１０から給水ホース２３を介して、冷却ノズル２５に通水された冷却水は水槽４の内壁面を冷やしながら流れ落ちる。これによって水槽４内の蒸気を含む高温の空気は、冷やされた水槽４の内壁面と接触し熱交換を行いながら冷却除湿される。除湿された空気はヒータ１６によって再び加熱され、回転ドラム６内に送られ衣類の乾を行なうといった、一連の乾燥サイクルを形成する。
【００３９】
このように本実施例によれば、冷却ノズル２５内に異物などが詰まった場合、冷却ノズル２５を取り外し、内部の掃除または付け換えなどの補修作業を容易に行うことができる。
【００４０】
（実施例５）
図５に示すように、冷却ノズル（冷却水通水路）２８、２９、３０は、それぞれ冷却水を流すもので、水槽４内に開口した複数個の通水孔２２を有し、給水ホース３１、３２、３３により乾燥用給水弁３４、３５、３６に連通し、それぞれ独立した通水路を構成している。他の構成は上記実施例１と同じである。
【００４１】
上記構成において動作を説明する。乾燥行程で、乾燥用給水弁３４、３５、３６からそれぞれ給水ホース３１、３２、３３を介して、冷却ノズル２８、２９、３０に通水された冷却水は水槽４の内壁面を冷やしながら流れ落ちる。これによって水槽４内の蒸気を含む高温の空気は、冷やされた水槽４の内壁面と接触し熱交換を行いながら冷却除湿される。
【００４２】
このとき、乾燥用給水弁３４、３５、３６を切り換えることにより、順次冷却ノズル２８、２９、３０への通水を切り換えることができ、一定冷却水量で水槽４の内壁面の広範囲を熱交換面として使用することができ、効率的な除湿をおこなうことができる。
【００４３】
このように本実施例によれば、乾燥用給水弁３４、３５、３６を切り換えることにより、順次冷却ノズル２８、２９、３０への通水を切り換えることができ、節水しながら効果的に水槽４の内壁を冷却することができ、除湿性能を向上することができる。
【００４４】
（実施例６）
図６に示すように、冷却ノズル（冷却水通水路）３６、３７は、それぞれ冷却水を流すもので、水槽４の壁面に構成し、これら冷却ノズル３６、３７を分岐パイプ３８および給水ホース３９、４０を介して乾燥用給水弁４１に連通し、冷却ノズル３６、３７への給水経路を水平面から同じ高さＨとし、それぞれヘッドを同じとしている。他の構成は上記実施例１と同じである。
【００４５】
上記構成において動作を説明する。乾燥行程で、乾燥用給水弁４１から分岐パイプ３８および給水ホース３９、４０を介して、冷却ノズル３６、３７に通水された冷却水は水槽４の内壁面を冷やしながら流れ落ちる。これによって水槽４内の蒸気を含む高温の空気は、冷やされた水槽４の内壁面と接触し熱交換を行いながら冷却除湿される。
【００４６】
このとき、冷却ノズル３６、３７への給水経路を水平面から同じ高さＨとし、それぞれヘッドを同じとすることによって、冷却ノズル３６と冷却ノズル３７への給水量を同じにすることができ、所定の給水量で偏りのない安定した熱交換性能を得ることができる。
【００４７】
このように本実施例によれば、冷却ノズル３６、３７への給水経路を水平面から同じ高さＨとし、それぞれヘッドを同じとすることによって、複数の冷却ノズル３６、３７にそれぞれ均等の水量の冷却水を流すことができる。
【００４８】
（実施例７）
図７に示すように、冷却ノズル４０は、冷却水を流すもので、水槽４の内壁面のドラム回転軸位置Ｓより下半分に冷却水を流し、水冷除湿を行うようにしている。他の構成は上記実施例１と同じである。
【００４９】
上記構成において動作を説明する。乾燥行程で、乾燥用給水弁１０から給水ホース２３を介して、冷却ノズル４０に通水された冷却水は水槽４の内壁面を冷やしながら流れ落ちる。これによって水槽４内の蒸気を含む高温の空気は、冷やされた水槽４の内壁面と接触し熱交換を行いながら冷却除湿される。
【００５０】
このとき、冷却ノズル４０は水槽４の内壁面のドラム回転軸位置Ｓより下半分に冷却水を流し、水冷除湿を行うことにより、冷却ノズル４０から冷却水を自然滴下するだけの簡単な構成で、水槽４の内壁面の下半分を熱交換器として利用できる。
【００５１】
（実施例８）
図８に示すように、水槽４は、壁面に冷却ノズル２１を取り付け、冷却ノズル２１は水槽４内に開口した複数個の通水孔２２を有し、冷却ノズル２１と乾燥用給水弁１０とを給水ホース２３により連通し、冷却ノズル２１の通水孔２２より水槽４の内壁に沿って冷却水を流して除湿するよう構成している。ここで、水槽４の冷却面４２にシボ加工等の凹凸を複数形成している。他の構成は上記実施例１または２と同じである。
【００５２】
上記構成において動作を説明する。乾燥行程で、乾燥用給水弁１０から給水ホース２３を介して、冷却ノズル２１に通水され、複数個の通水孔２２から出た冷却水は水槽４の内壁面を冷やしながら流れ落ちる。これによって水槽４内の蒸気を含む高温の空気は、冷やされた水槽４の内壁面と接触し熱交換を行いながら冷却除湿される。
【００５３】
ここで、水槽４の冷却面４２にシボ加工等の凹凸を複数形成しているので、水槽４の内壁面での冷却水が広がりやすくなり、熱交換面積を広げることができ、効率的な熱交換を行うことができる。
【００５４】
（実施例９）
図９に示すように、冷却ノズル４３は、冷却水を流すもので、水槽４の上部外壁面に構成し、この冷却ノズル４３に通水経路４４を連通させ、通水経路４４に水槽４内に開口した開口部４５を設け、冷却水を水槽４の外壁面から内壁面に連続して沿わせて流し、水冷除湿を行うようにしている。他の構成は上記実施例１と同じである。
【００５５】
上記構成において動作を説明する。乾燥行程で、乾燥用給水弁１０から給水ホース２３を介して冷却ノズル４３に通水し、通水経路４４を通して、冷却水を水槽４の外壁面から内壁面に連続して沿わせて流し、開口部４５より水槽４の内壁面に流れ込み、水槽４の内壁面を冷やしながら流れ落ちる。これによって水槽４内の蒸気を含む高温の空気は、冷やされた水槽４の内壁面と接触し熱交換を行いながら冷却除湿される。
【００５６】
これによって、水槽４内壁面をほぼ全面にわたって、熱交換面とすることができ、熱交換面積を広くとることができて、水冷除湿能力を上げることができ、効率的な熱交換を行うことができる。
【００５７】
（実施例１０）
図１０に示すように、冷却ノズル（冷却水通水路）４６、４７は、それぞれ冷却水を流すもので、水槽４の壁面に構成し、これら冷却ノズル４６、４７を給水ホース４８、４９を介して乾燥用給水弁５０、５１に連通し、衣類の乾燥状態に応じて乾燥用給水弁５０、５１の動作を切り換えるよう構成している。他の構成は上記実施例１と同じである。
【００５８】
上記構成において動作を説明する。乾燥行程で、乾燥用給水弁５０、５１から給水ホース４８、４９を介して、冷却ノズル４６、４７に通水された冷却水は水槽４の内壁面を冷やしながら流れ落ちる。これによって水槽４内の蒸気を含む高温の空気は、冷やされた水槽４の内壁面と接触し熱交換を行いながら冷却除湿される。
【００５９】
ここで、乾燥行程の予熱期間を過ぎ、水槽４内の湿度が上昇する乾燥中期において、冷却ノズル４６、４７の双方に乾燥給水弁５０、５１によってそれぞれ給水し、水槽４の内壁面を広範囲に冷却して水冷除湿を行い、乾燥後期の水槽４内の湿度が下がってくると、いずれか一方の冷却ノズルからのみの水冷とする。
【００６０】
このように本実施例によれば、洗濯物からの水分の蒸発が盛んに行われる乾燥中期において効果的に水冷除湿を行うことができ、乾燥後期は洗濯物の温度過昇を抑える程度の水冷とし、使用水量を低減し、ランニングコストを抑えることができる。
【００６１】
【発明の効果】
以上のように、本発明の請求項１に記載の発明によれば、水槽と回転ドラムの間の空気を冷却水によって冷却して除湿することにより、熱交換器を構成することなく、水槽内の広い空間内で除湿を行うことができ、除湿性能を向上することができるとともに、風圧による冷却水の巻き上げやリントなどの堆積による詰まりをなくすることができる。
【図面の簡単な説明】
【図１】本発明の第１の実施例のドラム式洗濯乾燥機の一部切欠した断面図
【図２】本発明の第２の実施例のドラム式洗濯乾燥機の要部断面図
【図３】本発明の第３の実施例のドラム式洗濯乾燥機の一部切欠した要部斜視図
【図４】本発明の第４の実施例のドラム式洗濯乾燥機の一部切欠した要部分解斜視図
【図５】本発明の第５の実施例のドラム式洗濯乾燥機の一部切欠した要部斜視図
【図６】本発明の第６の実施例のドラム式洗濯乾燥機の要部正面図
【図７】本発明の第７の実施例のドラム式洗濯乾燥機の要部断面図
【図８】本発明の第８の実施例のドラム式洗濯乾燥機の要部断面図
【図９】本発明の第９の実施例のドラム式洗濯乾燥機の要部断面図
【図１０】本発明の第１０の実施例のドラム式洗濯乾燥機の要部断面図
【図１１】従来のドラム式洗濯乾燥機の縦断面図
【符号の説明】
４　水槽
６　回転ドラム
９　洗濯用給水弁（給水手段）
１０　乾燥用給水弁（給水手段）
１２　排水ポンプ（排水手段）
１５　送風機（送風手段）
１６　ヒータ（加熱手段）
【図１】
2004097388.tif 000003
【図２】
2004097388.tif 000004
【図３】
2004097388.tif 000005
【図４】
2004097388.tif 000006
【図５】
2004097388.tif 000007
【図６】
2004097388.tif 000008
【図７】
2004097388.tif 000009
【図８】
2004097388.tif 000010
【図９】
2004097388.tif 000011
【図１０】
2004097388.tif 000012
【図１１】
2004097388.tif 000013